(57)【要約】【課題】  本発明は、自動的に同じディスクに何度も上書き記録ができる記録再生装置を提供することを目的とする。【解決手段】  本発明の記録再生装置は、再記録可能な光ディスクに、情報の上書き記録専用の光ディスクであることを示すモード情報を記録するモード情報記録手段と、光ディスクにモード情報が記録されている場合に、情報を、光ディスクの情報の記録容量まで情報を記録させるともに、さらに情報を前記光ディスクに記録する場合には、光ディスクに上書き記録するように制御する制御手段とを備えたことを特徴とする。【選択図】      図３
2008016153.tif 000002
【特許請求の範囲】
【請求項１】
再記録可能な光ディスクに対して、情報を記録，再生する記録再生装置であって、
前記光ディスクに、前記光ディスクが前記情報の上書き記録専用の光ディスクであるこ
とを示すモード情報を記録するモード情報記録手段と、
前記光ディスクに前記モード情報が記録されている場合に、前記情報を、前記光ディス
クの前記情報の記録容量まで前記情報を記録させるともに、さらに前記情報を前記光ディ
スクに記録する場合には、前記光ディスクに上書き記録するように制御する制御手段と
を備えたことを特徴とする記録再生装置。
【請求項２】
前記情報の記録は、前記光ディスクの最内周から最外周方向に行うとともに、
前記上書き記録は、前記光ディスクの最外周まで前記情報の記録を行ってから、前記光
ディスクの最内周から行うことを特徴とする請求項１記載の記録再生装置。
【請求項３】
前記光ディスクが前記情報の上書き記録専用の光ディスクであることを示すモード情報
を、前記光ディスクのユーザエリア内に記録させることを特徴とする請求項１及び２のい
ずれか一項記載の記録再生装置。
【請求項４】
前記光ディスクに、前記光ディスクが前記情報の上書き記録専用の光ディスクであるこ
とを示すモード情報が記録されている場合には、追加の前記情報の記録は、前記光ディス
クに対して最後に前記情報の記録が行われた位置から開始することを特徴とする請求項１
乃至３のいずれか一項記載の記録再生装置。
【請求項５】
前記情報を、前記光ディスクに上書き記録する場合であって、一連の情報を記録する場
合には、記録開始点から前記光ディスクの最外周，前記光ディスクの最内周を経て、再び
前記記録開始点で前記上書き記録を停止することを特徴とする請求項１乃至４のいずれか
一項記載の記録再生装置。
【請求項６】
前記光ディスクに記録されている情報が、予約録画によるものである場合には、上書き
記録を行わないことを特徴とする請求項請求項１乃至５のいずれか一項記載の記録再生装
置。
【発明の詳細な説明】
【技術分野】
【０００１】
本発明は、情報を記録，再生可能な記録再生装置に関する。
【背景技術】
【０００２】
映像情報を記録，再生可能なVTRが知られている。
また、映像情報を含めた情報を記録し、該記録した情報を消去若しくは上書きして再記
録可能なDVDディスクとして、DVD-RW，DVD-RAMディスクが知られている。
【０００３】
そして、一度書き込むと書き換えや追記のできないディスクアットワンスモードで書き
込まれたDVD-RWディスクに対して、データエリア部は残したままレコーディングマネージ
メントデータに記録されているデータを書き換えて、フォーマットを行うことにより書き
換えや追記が何度でもできるリストリクテッドオーバライトモードに変更する装置が知ら
れている(特許文献１)。
【０００４】
また、光磁気ディスク等の記録可能なディスクメディアにおいて、記録開始位置とされ
た再生時間位置を起点として、データ記録を行った時間長分に相当する再生時間位置範囲
のみ過去のデータが消去される装置も知られている(特許文献２)。
【特許文献１】特開2004-326942号公報
【特許文献２】特開平7-287967号公報
【発明の開示】
【発明が解決しようとする課題】
【０００５】
しかし、従来の装置は、手動でモードを変更する必要があるとともに、データエリア一
杯にデータが記録されると記録が停止してしまうという問題点があった。
本発明は、自動的に同じディスクに何度も上書き記録ができる記録再生装置を提供する
ことを目的とする。
【課題を解決するための手段】
【０００６】
上記目的を達成するために、本発明の記録再生装置は、再記録可能な光ディスクに対し
て、情報を記録，再生する記録再生装置であって、
前記光ディスクに、前記光ディスクが前記情報の上書き記録専用の光ディスクであるこ
とを示すモード情報を記録するモード情報記録手段と、
前記光ディスクに前記モード情報が記録されている場合に、前記情報を、前記光ディス
クの前記情報の記録容量まで前記情報を記録させるともに、さらに前記情報を前記光ディ
スクに記録する場合には、前記光ディスクに上書き記録するように制御する制御手段と
【０００７】
を備えたことを特徴とする。
また、前記情報の記録は、前記光ディスクの最内周から最外周方向に行うとともに、
前記上書き記録は、前記光ディスクの最外周まで前記情報の記録を行ってから、前記光
ディスクの最内周から行うことを特徴とする。
そして、ディスクの残量を気にせず使用できる。
また、前記光ディスクが前記情報の上書き記録専用の光ディスクであることを示すモー
ド情報を、前記光ディスクのユーザエリア内に記録させることを特徴とする。
そして、モード情報を、通常の情報と同様に光ディスクのユーザエリアに記録させるこ
とにより、上書き記録に対応する装置では該機能に対応させることができるとともに、該
機能に対応しない装置では何の動作も起こさせることがなく、規格を変更することなく、
独自の機能を盛り込むことができる。
【０００８】
また、前記光ディスクに、前記光ディスクが前記情報の上書き記録専用の光ディスクで
あることを示すモード情報が記録されている場合には、追加の前記情報の記録は、前記光
ディスクに対して最後に前記情報の記録が行われた位置から開始することを特徴とする。
【０００９】
そして、常に１タイトル分(2.0Mbpsでは約２時間)の記録ができる。
また、前記情報を、前記光ディスクに上書き記録する場合であって、一連の情報を記録
する場合には、記録開始点から前記光ディスクの最外周，前記光ディスクの最内周を経て
、再び前記記録開始点で前記上書き記録を停止することを特徴とする。
【００１０】
そして、上書き記録専用ディスクに、一連の情報(例えば、1つの番組)を記録した場合
、該番組自身が上書きされるのを防止することができる。
また、前記光ディスクに記録されている情報が、予約録画によるものである場合には、
上書き記録を行わないことを特徴とする。
【発明の効果】
【００１１】
本発明によれば、自動的に同じディスクに何度も上書き記録ができる。
【発明を実施するための最良の形態】
【００１２】
以下、図面を参照して本発明の実施の形態を説明する。
図１は、本発明に係る実施形態を備えた記録再生装置100の概略ブロック図である。図
１の記録再生装置100では、２種類のディスクドライブ部を有する。まず、映像情報を含
む情報を記録可能な情報記録媒体である第1のメディアとしての光ディスク１１を回転駆
動し、情報の読み書きを実行するディスクドライブ部１２を有する。制御部７は、光ディ
スク１１に記録されている情報の読み取り及び書き換えを行なう。また、このデータ記録
再生装置は、第２のメディアとしてのハードディスク１４ａを駆動するハードディスクド
ライブ部１３を有する。データプロセッサ部(D-PRO部)１５は、ディスクドライブ部１２
及びハードディスクドライブ部(HDD部)１４に記録データを供給することができ、また、
再生された信号を受け取ることができる。ディスクドライブ部１２は、光ディスク１１に
対する回転制御系、レーザ駆動系、光学系等を有する。データプロセッサ部１５は、記録
または再生単位のデータを取り扱うもので、バッファ回路、変調・復調回路、エラー訂正
部等を含んでいる。
【００１３】
また、記録再生装置100は、記録側を構成するエンコーダ部１６と、再生側を構成する
デコーダ部１９と、装置本体の動作を制御するマイクロコンピュータブロック２０とを、
主たる構成要素としている。
【００１４】
エンコーダ部１６は、入力されたアナログビデオ信号及びアナログオーディオ信号をデ
ジタル化するビデオ用及びオーディオ用のアナログデジタルコンバータと、ビデオエンコ
ーダと、オーディオエンコーダとを有する。さらに、副映像エンコーダも含んでいる。  
エンコーダ部１６の出力は、バッファメモリを含むフォーマッタ１７にて所定のＤＶＤ−
ＲＡＭのフォーマットに変換され、先のデータプロセッサ部１５に供給される。エンコー
ダ部１６には、Ａ／Ｖ（Audio Video）入力部２３から得られる外部アナログビデオ信号
と外部アナログオーディオ信号、または、ＴＶ（Television）チューナ部２２から得られ
るアナログビデオ信号とアナログオーディオ信号が入力される。なお、エンコーダ部１６
は、圧縮されたデジタルビデオ信号及びデジタルオーディオ信号が直接入力されるときは
、この圧縮されたデジタルビデオ信号及びデジタルオーディオ信号を、直接フォーマッタ
１７に供給することも可能である。エンコーダ部１６に含まれるビデオエンコーダでは、
デジタルビデオ信号が、ＭＰＥＧ（Moving Picture Experts Group）２またはＭＰＥＧ１
規格に基づいた可変ビットレートで圧縮されたデジタルビデオ信号に変換される。デジタ
ルオーディオ信号は、ＭＰＥＧまたはＡＣ（Audio Compression）−３規格に基づいて、
固定ビットレートで圧縮されたデジタルオーディオ信号、または、リニアＰＣＭ（Pulse 
Code Modulation）のデジタルオーディオ信号に変換される。副映像信号がＡ／Ｖ入力部
２３から入力された場合（例えば副映像信号の独立出力端子付ＤＶＤビデオプレーヤから
の信号等）、または、このようなデータ構成のＤＶＤビデオ信号が放送され、それがＴＶ
チューナ部２２で受信された場合は、ＤＶＤビデオ信号中の副映像信号が副映像エンコー
ダでエンコード（ランレングス符号化）されて副映像のビットマップとなる。
【００１５】
エンコードされたデジタルビデオ信号、デジタルオーディオ信号、副映像データは、フ
ォーマッタ１７にてパック化され、ビデオパック、オーディオパック、副映像パックとな
り、さらに、これらが集合されてＤＶＤ−レコーディング規格（例えば、ＤＶＤ−ＲＡＭ
、ＤＶＤ−Ｒ（Recordable）、ＤＶＤ−ＲＷ（Rewritable）等に記録する規格）で規定さ
れたフォーマットに変換される。
【００１６】
ここで、図１の記録再生装置100は、フォーマッタ１７でフォーマット化された情報（
ビデオ、オーディオ、副映像データ等のパック）及び作成された管理情報を、データプロ
セッサ部１５を介してハードディスクドライブ部１４またはディスクドライブ部１２に供
給し、ハードディスク１４ａまたは光ディスク１１に記録することができる。また、ハー
ドディスク１４ａまたは光ディスク１１に記録された情報を、データプロセッサ部１５及
びディスクドライブ部１２を介して、光ディスク１１またはハードディスク１４ａに記録
することもできる。また、ハードディスク１４ａまたは光ディスク１１に記録されている
複数番組のビデオオブジェクトを、一部削除したり、異なる番組のオブジェクトを繋げた
り、といった編集処理を行なうこともできる。これは、この実施の形態で説明するフォー
マットが、取り扱うデータ単位を定義し、編集を容易にしているからである。
【００１７】
マイクロコンピュータブロック２０は、図示しないＭＰＵ（Micro Processing Unit）
またはＣＰＵ（Central Processing Unit）と、制御プログラム等が書き込まれた図示し
ないＲＯＭ（Read Only Memory）と、プログラム実行に必要なワークエリアを提供するた
めの図示しないＲＡＭとを含んでいる。
【００１８】
マイクロコンピュータブロック２０のＭＰＵは、そのＲＯＭに格納された制御プログラ
ムにしたがい、ＲＡＭをワークエリアとして用いて、欠陥場所検出、未記録領域検出、記
録情報記録位置設定、ＵＤＦ（Universal Disk Format）記録、ＡＶアドレス設定等を実
行する。また、マイクロコンピュータブロック２０は、システム全体を制御するために必
要な情報処理部を有するもので、ワークＲＡＭ、ディレクトリ検知部、ＶＭＧ（全体のビ
デオ管理情報）情報作成部、コピー関連情報検知部、コピー及びスクランブリング情報処
理部（ＲＤＩ処理部）、パケットヘッダ処理部、シーケンスヘッダ処理部、アスペクト比
情報処理部等を備える。
【００１９】
マイクロコンピュータブロック２０には、記録再生装置100を操作するための操作信号
を与えるキー入力部２１が接続されている。
なお、マイクロコンピュータブロック２０が、ディスクドライブ部１２、ハードディス
クドライブ部１４、データプロセッサ部１５、エンコーダ部１６及びデコーダ部１９等を
制御するタイミングは、ＳＴＣ（System Time Clock）１８からの時間データに基づいて
規定することができる。記録や再生の動作は、通常、ＳＴＣ１８からのタイムクロックに
同期して実行されるが、それ以外の処理はＳＴＣ１８からのタイムクロックとは独立した
タイミングで実行されてもよい。
【００２０】
デコーダ部１９は、パック構造を持つＤＶＤフォーマットの信号から各パックを分離し
て取り出すセパレータと、パック分離及びその他の信号処理実行時に使用するメモリと、
セパレータで分離された主映像データ（ビデオパックの内容）をデコードするVデコーダ
と、セパレータで分離された副映像データ（副映像パックの内容）をデコードするＳＰ（
Sub Picture）デコーダと、セパレータで分離されたオーディオデータ（オーディオパッ
クの内容）をデコードするＡ（Audio）デコーダとを有する。また、デコードされた主映
像にデコードされた副映像を適宜合成し、主映像に、メニュー、ハイライトボタン、字幕
及びその他の副映像を重ねて出力するビデオプロセッサを備えている。
【００２１】
デコーダ部１９の出力ビデオ信号は、Ｖミクシング部２４に入力される。Ｖミクシング
部２４では、テキストデータの合成が行なわれる。また、Ｖミクシング部２４には、ＴＶ
チューナ部２２またはＡ／Ｖ入力部２３からの信号を直接取り込むラインも接続されてい
る。
【００２２】
Ｖミクシング部２４には、バッファとして用いるフレームメモリが接続されている。Ｖ
ミクシング部２４の出力がアナログ出力の場合は、Ｉ／Ｆ（Interface）２６を介して外
部に出力され、デジタル出力の場合は、デジタルアナログ変換器２５を介して外部のモニ
タディスプレイ２７に出力される。
【００２３】
デコーダ部１９の出力オーディオ信号は、セレクタ２８を介してデジタルアナログ変換
器２９でアナログ変換され外部のスピーカ３０に出力される。セレクタ２８は、マイクロ
コンピュータブロック２０からのセレクト信号により制御される。これによりセレクタ２
８は、ＴＶチューナ部２２またはＡ／Ｖ入力部２３からのデジタル信号を直接モニタする
時、エンコーダ部１６をスルーした信号を直接選択することも可能である。
【００２４】
図２は、図１で示したディスクドライブ部１２で使用する再記録可能な光ディスク１１
の構造を示している。記録管理部３４は、ユーザエリア３２に記録されたデータが光ディ
スク11のどの位置に記録されたかの管理情報が格納される。この情報を取得することで、
記録データの先頭から再生可能となる。ユーザエリア３２は、実際に光ディスク11に記録
されたファイル(映像情報を含む情報)が格納される。
【００２５】
また、ユーザエリア32の一部には、上書き記録専用モード識別部321が設けられている
。上書き記録専用モード識別部321には、光ディスク11が上書き記録専用モードか否かの
モード情報が記録される領域である。なお、上書き記録専用モード識別部321の開始アド
レスは、本記録再生装置100以外の装置では、アクセスされないように、記録管理部34に
は開始アドレスは記録されてない。このため、他の装置のディスクドライブではアクセス
することはできない。しかし、図１の記録再生装置100のディスクドライブ部12は、光デ
ィスク11が挿入されると、光ディスク11の記録管理部34の最終アドレスの次のアドレスを
まずは再生はするように構成しておく。これにより、ディスクドライブ部12は、記録管理
部34の最終アドレスの次のアドレスから始まる上書き記録専用モード識別部321をチェッ
クし、光ディスク11が上書き専用記録モードの光ディスクか否かをチェックする。
【００２６】
図３は、記録再生装置100のディスクドライブ部12が、挿入された光ディスク11が上書
き記録専用モードに設定されているか否かのチェックを行うフローチャートである。
【００２７】
ディスクドライブ部12は、光ディスク11がディスクドライブ部12に光ディスク11が挿入
されたか否かをチェックし(ステップ301)、光ディスク11が挿入されたことを検出すると
、図示しないピックアップを光ディスク11の所定アドレスに移動させ(ステップ302)、光
ディスク11のユーザエリア部32の一部にある上書き記録専用モード識別部321をチェック
する(ステップ303)。なお、所定アドレスは、図２の場合は、記録管理部34の最終アドレ
スの次のアドレスで、ユーザエリア部32の最初のアドレスに相当する。なお、上書き記録
専用モード識別部321は、ディスクドライブ部12にあらかじめアドレスを指定しておけば
、ユーザエリア部32のいずれに配置してもよい。ディスクドライブ部12は、光ディスク11
の上書き記録専用モード識別部32をチェックした結果、光ディスク11が上書き記録専用モ
ードに設定されていると判断した場合(ステップ304でYesの場合)には、光ディスク11を「
上書き記録専用モード」の光ディスクとして扱う。なお、上書き記録専用モードにおける
ディスクドライブ部32の動作については、図４で説明する。ステップ304でNoの場合、つ
まり上書き記録専用モード識別部32には、情報が記録されていない場合(例えば、オール0
若しくはオール1が記録されている)、光ディスク11は「上書き記録専用モード」ではない
として、通常処理(通常の記録)を行う。
【００２８】
本実施例では、「上書き記録専用モード」に設定することで、記録が終了するまで、ユ
ーザエリア３２の最内周（ユーザエリア３３の先頭）から最外周（ユーザエリア３２の終
点）、その後最内周（ユーザエリア３２の先頭）に移動して最外周（ユーザエリア３２の
終点）までを繰り返し記録する。
【００２９】
なお、最外周から最内周に継続して記録してもシームレスに再生できる。これは、記録
再生装置100内に図示しないバッファメモリを設け、光ディスク11から情報を再生する際
に、光ディスク11の最外周から最内周に移動する間もバッファメモリから情報の再生を続
けることにより実現できる。
【００３０】
図４は、本実施の形態の特徴である「上書き記録専用モード」を説明するフローチャー
トである。
まず、記録再生装置100で、記録媒体としての光ディスク11を「上書き記録専用モード
」として使用する場合、光ディスク11の初期化及び「上書き記録専用モード」に設定する
必要がある。なお、再記録不可能なDVD-R（Recordable）には、このモードは設定できな
い。このため、「上書き記録専用モード」の設定では、まず光ディスク11が再記録可能な
ディスク(DVD-RW(Re-recordable)，DVD-RAM(Rewritable)ディスク)か否かをチェックする
(ステップ401)。これは、光ディスク11のブックタイプと呼ばれるDVDのどの規格書に準じ
ているかを示すフラグをチェックしてもよいし、光ディスク11の物理的な特徴から判断し
てもよい。この時、図６に示すGUIイメージをモニタ27に表示させることにより、ユーザ
によるキー入力部21を促すことができる。
【００３１】
ステップ402で、ユーザが「上書き記録専用モード」を設定すると、光ディスク11は「
上書き記録専用モード」となり、以降の動作を行う。なお、ユーザに対しては、図７に示
す画面を示し、記録モードの選択で、「上書きモード」をキー入力部21から入力させるこ
とにより選択させる。そして、図８に示すように、上書きモードによる初期化が完了した
ことを画面に表示させ、ステップ402で光ディスク11が「上書き記録専用モード」に設定
されると、これにしたがって、ディスクドライブ部12が以降の処理を行う。
【００３２】
ディスクドライブ部12は、図示しないピックアップを光ディスク11の最内周に移動させ
(ステップ403)、情報の記録を開始する(ステップ404)。所定の時間間隔若しくは所定の情
報量毎に、情報の記録位置を光ディスク11の記録管理部34に記録(保存)する(ステップ405
)。ピックアップによるレーザの照射位置(記録位置に相当)が光ディスク11の最外周(ユー
ザエリア部32の終点)に達したか否か(情報の記録が最外周まで行われたかどうか)をチェ
ックし(ステップ406)、最外周に達した場合は、上書き記録するために光ディスク11の最
内周(ユーザエリア部32の上書き記録専用モード識別部321の終点)にピックアップを移動
させ(ステップ407)、情報の記録を継続する(ステップ408)。そして情報の記録が終了した
か否かをチェックし(ステップ409)、終了した場合には、情報の光ディスク11の最終的な
記録位置を記録管理部34に保存して(ステップ410)、処理を終了する。
【００３３】
なお、「上書き専用モード」で、光ディスク11が、例えば、一層ディスクで2時間(4.6M
bpsで記録可能な最大時間)を超える一タイトルを連続して記録した場合、一周して記録開
始位置に達したら上書きせず記録を停止させる。これは、もし停止しないで記録を継続す
ると、せっかく記録したタイトルが消えてしまうことを防止するためである。
【００３４】
図５は、「上書き記録専用モード」において、上書きされる情報の種別に応じて処理を
変更することを説明するフローチャートである。ここでは、上書きされる情報が、1.ユー
ザが予約録画で記録した情報か、2.ユーザからのキー入力部21からの操作により記録を行
った情報(例えば、ユーザがモニタ27を見ている時、来客により急遽録画を行なった)か(
以下、ダイレクト記録とする)によって「上書き記録専用モード」の処理を変更すること
を想定している。これは、2.の情報は、タイムシフトを主たる目的とすることが多く、1.
の情報に比べて上書き記録してもよい可能性が高いことによる。
【００３５】
図４で既に「上書き記録専用モード」に設定されている光ディスク11に対して、ユーザ
が情報の記録を指示することにより、情報の記録が開始される(ステップ501)。これに対
して、ディスクドライブ部12は、光ディスク11をチェックし、ユーザエリア部32にどのよ
うな情報が記録されているのかチェックする。具体的には、予約録画された情報か、ダイ
レクト記録された情報かをチェックする。なお、どちらの情報かは、例えば、上書き記録
専用モード識別部321に識別子を記録しておくことにより実現できる。光ディスク11に記
録されている情報がダイレクト記録か否(予約記録)かをチェックし(ステップ502)、Yes(
ダイレクト記録)の場合、図９に示すアラートを表示し、ユーザに対して、光ディスク11
に記録済の情報を上書き記録することに対して確認を行う。ユーザからキー入力部21を介
して記録開始が指示されたか否かをチェックし(ステップ504)、Yesの場合(ユーザが図９
で「はい」を選択)、ユーザエリア部32の前回の記録最終位置から情報の上書き記録を行
う(ステップ505)。ステップ506では、上書き記録がユーザエリア部32の終点まで達したか
否かをチェックし、Yesの場合、上書き記録を停止する(ステップS507)。なお、ステップ5
02でNo(予約録画)の場合、上書きせずに、ユーザエリア部32の秋領域に記録する。空き領
域がなければ記録できない旨をユーザに表示して、記録は行わない。
【００３６】
なお、「上書き専用モード」に設定したディスクにおいては、繰り返し記録が目的のた
めユーザが任意に記録データを消去しても、次回の記録位置は、直前の記録終了位置とす
る。また、「上書き専用モード」でディスクに複数タイトルを記録した場合、再生は最後
に記録したタイトルの先頭から行なわれる。これは公知の記録再生装置(DVDレコーダ)の
仕様と同様である。
【００３７】
そして、再記録可能なDVD-RW/RAMディスクを初期化する際に「上書き記録専用モード」
に設定することで、ユーザはディスクの容量を気にすることなく繰り返し番組を録画する
ことが可能である。よって、「上書き専用モード」ディスクは、記録領域を確保する必要
がないので、誰でも簡単に記録・再生できるだけでなく、録画して再生後は消去しても良
い番組専用，DVDレコーダのHDDには必要なデータの記録保存用といった使い分けも楽しむ
ことができる。また、アナログビデオテープの様に使える上に画質は劣化しない。
【００３８】
なお、記録再生装置100で予約録画を行う際に、記録先を「上書き記録専用モード」の
光ディスク11に設定した場合には、図１０に示すように、該光ディスク11は「上書き記録
専用モード」に設定されていることが表示される。
【図面の簡単な説明】
【００３９】
【図１】本発明の一実施の形態による記録再生装置の概略構成図。
【図２】同実施の形態にかかわる記録再生装置に用いられる再記録可能な光ディスクの構成図。
【図３】同実施の形態にかかわる光ディスクが上書き記録モードに設定されているか否かのチェックを行うフローチャート。
【図４】「上書き記録専用モード」を説明するフローチャート。
【図５】「上書き記録専用モード」において、上書きされる情報の種別に応じて処理を変更することを説明するフローチャート。
【図６】光ディスクの初期化を促す画面イメージ図。
【図７】光ディスクを「上書き記録専用モード」に設定させる画面イメージ図。
【図８】光ディスクが「上書き記録専用モード」に設定されたことをユーザに通知する画面イメージ図。
【図９】ユーザに対して、記録済情報への上書き記録の可否を確認するアラートの画面イメージ図。
【図１０】予約録画時に、記録先の光ディスクが「上書き記録専用モード」に設定されていることをユーザに対して示す画面イメージ図。
【符号の説明】
【００４０】
11  光ディスク
12  ディスクドライブ部
20  マイクロコンピュータブロック
21  キー入力部
27  モニタ
32  ユーザエリア部
100  記録再生装置
321  上書き記録専用モード識別部
【図１】
2008016153.tif 000003
【図２】
2008016153.tif 000004
【図３】
2008016153.tif 000005
【図４】
2008016153.tif 000006
【図５】
2008016153.tif 000007
【図６】
2008016153.tif 000008
【図７】
2008016153.tif 000009
【図８】
2008016153.tif 000010
【図９】
2008016153.tif 000011
【図１０】
2008016153.tif 000012